(57)【特許請求の範囲】
【請求項１】
振動板上に導電回路を組み込んだスピーカであって、前記導電回路に入力される電気信号により該導電回路に磁束が発生し、前記振動板に近接して配置した磁気回路に対して、前記磁束により吸引及び反発が生じて前記振動板が振動するスピーカにおいて、
前記振動板がエッジを介して固定されているエッジ固定フレームと、該エッジ固定フレームを上下に可動する可動手段とを備え、
前記エッジ固定フレームを上下に可動させて、前記振動板と前記磁気回路との距離を変更可能とすることにより、周波数音圧特性を変更可能としたことを特徴とするスピーカ。
【請求項２】
振動板上に導電回路を組み込んだスピーカであって、前記導電回路に入力される電気信号により該導電回路に磁束が発生し、前記振動板の両側に近接してそれぞれ配置した磁気回路に対して、前記磁束により吸引及び反発が生じて前記振動板が振動するスピーカにおいて、
前記振動板がエッジを介して固定されているエッジ固定フレームと、該エッジ固定フレームを上下に可動する可動手段とを備え、
前記エッジ固定フレームを上下に可動させて、前記振動板と一方の前記磁気回路との距離を変更可能とすることにより、周波数音圧特性を変更可能としたことを特徴とするスピーカ。
【請求項３】
振動板上に導電回路を組み込んだスピーカであって、前記導電回路に入力される電気信号により該導電回路に磁束が発生し、前記振動板の両側に近接してそれぞれ配置した磁気回路に対して、前記磁束により吸引及び反発が生じて前記振動板が振動するスピーカにおいて、
前記振動板がエッジを介して固定されているエッジ固定フレームと、それぞれの前記磁気回路が固定されている二つの磁気回路固定フレームと、前記エッジ固定フレームと一方の前記磁気回路固定フレームを連結する連結手段を設け、前記エッジ固定フレームが上下に可動されると、連結された一方の前記磁気回路固定フレームが連動して上下に可動される可動手段とを備え、
前記エッジ固定フレーム及びこれに連結された一方の前記磁気回路固定フレームを上下に可動させて、前記振動板と双方の前記磁気回路それぞれとの距離を変更可能とすることにより、周波数音圧特性を変更可能としたことを特徴とするスピーカ。
【請求項４】
振動板上に導電回路を組み込んだスピーカであって、前記導電回路に入力される電気信号により該導電回路に磁束が発生し、前記振動板の一方の側に近接して配置した磁気回路に対して、前記磁束により吸引及び反発が生じて前記振動板が振動するスピーカにおいて、
前記振動板の他方の側に、イコライザーを保持するための案内部が設けられたイコライザー保持フレームを備え、
前記イコライザーが前記イコライザー保持フレームに着脱可能に配置されることにより、周波数音圧特性を変更可能としたことを特徴とするスピーカ。
【請求項５】
前記イコライザーを異なる形状のイコライザーに変更可能とすることにより、周波数音圧特性を変更可能としたことを特徴とする請求項４に記載のスピーカ。
【請求項６】
前記イコライザー保持フレームを上下に可動する可動手段を備え、前記イコライザー保持フレームを上下に可動させて、前記振動板と前記イコライザーとの距離を変更可能とすることにより、周波数音圧特性を変更可能としたことを特徴とする請求項４又は請求項５に記載のスピーカ。
【請求項７】
前記振動板がエッジを介して固定されているエッジ固定フレームと、該エッジ固定フレームを上下に可動する可動手段とを備え、
前記エッジ固定フレームを上下に可動させて、前記振動板と前記磁気回路との距離を変更可能とすることにより、周波数音圧特性を変更可能としたことを特徴とする請求項６に記載のスピーカ
【発明の詳細な説明】
【０００１】
【発明の属する技術分野】
本発明は、コンピュータ，オーディオ，映像システム等に使用される電気音響変換器のスピーカに関するものである。
【０００２】
【従来の技術】
従来より、このようなスピーカとしては、例えば導電回路組込振動板を使用したものがある。図７は、その従来のスピーカの一例を示す図である。ここでは４セルの導電回路組込振動板を使用している。同図（ａ）は平面図、同図（ｂ）はＡＡ’断面図、同図（ｃ）は内部平面図、同図（ｄ）は下面図である。同図（ｃ）では後述する振動板，エッジを取り除いたときの様子が示されている。同図において、１は四角い板状のマグネットであり、これは上下（厚さ方向）に極性が分かれるように着磁され、隣り合うマグネットの極性が反対になるようにして、田の字状に配設されている。
【０００３】
そして、マグネット１は、例えば鋼板より成る皿状のフレーム２底面に固定され、磁気回路を構成している。また、マグネット１の上側には振動板３が設けられており、その振動板３上には、各マグネット１に相対する位置に四角いコイル状の導電回路５が、これも田の字状に配設されている。そして振動板３は、弾力性を持つエッジ４を介して、フレーム２の周縁部に固定されており、上記磁気回路との距離を一定に保っている。さらに、フレーム２の下面より、導電回路５と電気的に接続された端子６が下方に延びている。なお、ｈは各フレームに複数開けられた放音孔である。
【０００４】
端子６に電気信号が加えられると、それが導電回路５に導かれ、その導電回路５内の導体に電流が流れる。これにより、導電回路５に磁束が発生し、その磁束と近接している磁気回路に対し吸引や反発が生じて、振動板３が振動する。これは、いわゆるガムーゾン型の構成となっている。本例のスピーカの周波数音圧特性を図１４に示す。ここでは横軸に音声周波数（Ｈｚ）、縦軸に音圧レベル（ｄＢ）をそれぞれ取っている。
【０００５】
図８は、従来のスピーカの他の例を示す図である。ここでも４セルの導電回路組込振動板を使用している。同図（ａ）は平面図、同図（ｂ）はＡＡ’断面図、同図（ｃ），（ｄ）は内部平面図、同図（ｅ）は下面図である。同図（ｃ）では後述する上側のフレームを取り除いたときの様子が示されている。また同図（ｄ）では後述する振動板，エッジを取り除いたときの様子が示されている。同図において、１は四角い板状のマグネットであり、これは上下（厚さ方向）に極性が分かれるように着磁され、隣り合うマグネットの極性が反対になるようにして、田の字状に配設されている。
【０００６】
ここで、マグネット１の組み合わせのうち一方は、例えば鋼板より成る皿状のフレーム２底面に固定されて、第１磁気回路を構成している。また、そのマグネット１の上側には振動板３が設けられており、その振動板３上には、各マグネット１に相対する位置に四角いコイル状の導電回路５が、これも田の字状に配設されている。そして振動板３は、弾力性を持つエッジ４を介して、フレーム２の周縁部に固定されており、上記磁気回路との距離を一定に保っている。
【０００７】
また、マグネット１の組み合わせのうち他方は、例えば鋼板より成る蓋状のフレーム２１天井面に固定されて、第２磁気回路を構成している。そして、フレーム２１は振動板３の上側に配置され、フレーム２と互いの周縁部で嵌合し、固定されている。このとき、各磁気回路に使用するマグネット１の極性は、振動板３を中心に面対称となるよう設定されている。以上の構成により、上記従来の一例の場合よりも磁気性能を向上させている。さらに、フレーム２の下面より、導電回路５と電気的に接続された端子６が下方に延びている。なお、ｈは各フレームに複数開けられた放音孔である。動作については上記従来の一例で示したものと同様である。また、本例のスピーカの周波数音圧特性を図１５に示す。
【０００８】
【発明が解決しようとする課題】
しかしながら、上記従来の構成では、スピーカユニットの用途に応じて、再生帯域を変化させたり異なる部品を取り付けたりするために、構造を変更して組み立てをする必要があった。そのため、多くの種類のスピーカユニットを作ることになり、生産性やコスト面等で不利となっていた。
【０００９】
また、特開平１１−７５２９６号公報に記載されている如く、音圧感度特性の調整可能な電磁型レシーバが開示されているが、これは組立精度のバラツキからくる特性の変動を安定化させるものに過ぎない。そして、その構造は振動板に磁性体を使用したものであり、動作原理も磁性体に対する吸引力の強弱によって振動する電磁型であって、本発明の意図するスピーカの構造とは大きく異なる。
【００１０】
本発明は、このような問題点に鑑み、構造の一部を可変としたり、また部品を簡単に取り替えられる構成とすることにより、種々の用途に使用できるようにしたスピーカを提供することを目的とする。
【００１１】
【課題を解決するための手段】
上記目的を達成するために、本発明では、振動板上に導電回路を組み込んだスピーカであって、前記導電回路に入力される電気信号により該導電回路に磁束が発生し、前記振動板に近接して配置した磁気回路に対して、前記磁束により吸引及び反発が生じて前記振動板が振動するスピーカにおいて、前記振動板がエッジを介して固定されているエッジ固定フレームと、該エッジ固定フレームを上下に可動する可動手段とを備え、前記エッジ固定フレームを上下に可動させて、前記振動板と前記磁気回路との距離を変更可能とすることにより、周波数音圧特性を変更可能としたことを特徴とする。
【００１２】
また、振動板上に導電回路を組み込んだスピーカであって、前記導電回路に入力される電気信号により該導電回路に磁束が発生し、前記振動板の両側に近接してそれぞれ配置した磁気回路に対して、前記磁束により吸引及び反発が生じて前記振動板が振動するスピーカにおいて、前記振動板がエッジを介して固定されているエッジ固定フレームと、該エッジ固定フレームを上下に可動する可動手段とを備え、前記エッジ固定フレームを上下に可動させて、前記振動板と一方の前記磁気回路との距離を変更可能とすることにより、周波数音圧特性を変更可能としたことを特徴とする。
【００１３】
また、振動板上に導電回路を組み込んだスピーカであって、前記導電回路に入力される電気信号により該導電回路に磁束が発生し、前記振動板の両側に近接してそれぞれ配置した磁気回路に対して、前記磁束により吸引及び反発が生じて前記振動板が振動するスピーカにおいて、前記振動板がエッジを介して固定されているエッジ固定フレームと、それぞれの前記磁気回路が固定されている二つの磁気回路固定フレームと、前記エッジ固定フレームと一方の前記磁気回路固定フレームを連結する連結手段を設け、前記エッジ固定フレームが上下に可動されると、連結された一方の前記磁気回路固定フレームが連動して上下に可動される可動手段とを備え、前記エッジ固定フレーム及びこれに連結された一方の前記磁気回路固定フレームを上下に可動させて、前記振動板と双方の前記磁気回路それぞれとの距離を変更可能とすることにより、周波数音圧特性を変更可能としたことを特徴とする。
【００１４】
また、振動板上に導電回路を組み込んだスピーカであって、前記導電回路に入力される電気信号により該導電回路に磁束が発生し、前記振動板の一方の側に近接して配置した磁気回路に対して、前記磁束により吸引及び反発が生じて前記振動板が振動するスピーカにおいて、前記振動板の他方の側に、イコライザーを保持するための案内部が設けられたイコライザー保持フレームを備え、前記イコライザーが前記イコライザー保持フレームに着脱可能に配置されることにより、周波数音圧特性を変更可能としたことを特徴とする。
【００１５】
そして、前記イコライザーを異なる形状のイコライザーに変更可能とすることにより、周波数音圧特性を変更可能としたことを特徴とする。さらに、前記イコライザー保持フレームを上下に可動する可動手段を備え、前記イコライザー保持フレームを上下に可動させて、前記振動板と前記イコライザーとの距離を変更可能とすることにより、周波数音圧特性を変更可能としたことを特徴とする。さらに、前記振動板がエッジを介して固定されているエッジ固定フレームと、該エッジ固定フレームを上下に可動する可動手段とを備え、前記エッジ固定フレームを上下に可動させて、前記振動板と前記磁気回路との距離を変更可能とすることにより、周波数音圧特性を変更可能としたことを特徴とする。
【００１６】
【発明の実施の形態】
以下、本発明の実施の形態について、図面を参照しながら説明する。図１は、本発明の第１の実施形態のスピーカを示す図である。ここでは４セルの導電回路組込振動板を使用している。同図（ａ）は平面図、同図（ｂ）はＡＡ’断面図、同図（ｃ），（ｄ）は内部平面図、同図（ｅ）は下面図である。同図（ｃ）では後述するエッジ固定フレームを取り除いたときの様子が示されている。また同図（ｄ）では更に後述するマグネット固定フレームを取り除いたときの様子が示されている。同図において、１は四角い板状のマグネットであり、これは上下（厚さ方向）に極性が分かれるように着磁され、隣り合うマグネットの極性が反対になるようにして、田の字状に配設されている。
【００１７】
そして、マグネット１は、例えば鋼板より成る板状のマグネット固定フレーム２ａ上面に固定され、磁気回路を構成している。また、マグネット１の上側には振動板３が設けられており、その振動板３上には、各マグネット１に相対する位置に四角いコイル状の導電回路５が、これも田の字状に配設されている。そして振動板３は、弾力性を持つエッジ４を介して、枠状のエッジ固定フレーム２ｂの周縁部に固定されている。
【００１８】
また、マグネット固定フレーム２ａの下側には、板状の端子固定フレーム２ｃが設けられており、その四隅よりそれぞれ可変ポール７が上方に延びている。そして、各可変ポール７はマグネット固定フレーム２ａを貫通し、エッジ固定フレーム２ｂに達して、これを支持している。一方、端子固定フレーム２ｃの中央付近には、距離調整ねじ８が設けられており、これと各可変ポール７とはそれぞれ凸型のベルト９によって連結されている。距離調整ねじ８を手動で回すと、その回転が各ベルト９により各可変ポール７に伝達され、これが同時に回転する。これにより、エッジ固定フレーム２ｂを、磁気回路に対して平行に保持しながら上下させることができる。
【００１９】
さらに、端子固定フレーム２ｃの下面より、導電回路５と電気的に接続された端子６が下方に延びている。なお、ｈは各フレームに複数開けられた放音孔である。端子６に電気信号が加えられると、それが導電回路５に導かれ、その導電回路５内の導体に電流が流れる。これにより、導電回路５に磁束が発生し、その磁束と近接している磁気回路に対し吸引や反発が生じて、振動板３が振動する。
【００２０】
本実施形態のスピーカの周波数音圧特性を図９に示す。ここでは横軸に音声周波数（Ｈｚ）、縦軸に音圧レベル（ｄＢ）をそれぞれ取っている。同図において、曲線ａ，曲線ｂはそれぞれ振動板とマグネットの距離が２ｍｍ，３ｍｍの場合を示している。上記距離調整ねじ８を回すことにより、これらの間で周波数音圧特性を自由に変化させることができる。特に、振動板とマグネットの距離を２ｍｍから３ｍｍにすることにより、低域の再生帯域が約２．０倍となっている。
【００２１】
図２は、本発明の第２の実施形態のスピーカを示す図である。ここでも４セルの導電回路組込振動板を使用している。同図（ａ）は平面図、同図（ｂ）はＡＡ’断面図、同図（ｃ），（ｄ），（ｅ）は内部平面図、同図（ｆ）は下面図である。同図（ｃ）では後述するマグネットエッジ固定フレームを取り除いたときの様子が示されている。また同図（ｄ）では後述するマグネットエッジ固定フレーム及び、振動板，エッジを取り除いたときの様子が示されている。また同図（ｅ）では更に後述するマグネット固定フレームを取り除いたときの様子が示されている。同図において、１は四角い板状のマグネットであり、これは上下（厚さ方向）に極性が分かれるように着磁され、隣り合うマグネットの極性が反対になるようにして、田の字状に配設されている。
【００２２】
ここで、マグネット１の組み合わせのうち一方は、例えば鋼板より成る板状のマグネット固定フレーム２ａ上面に固定されて、第１磁気回路を構成している。また、そのマグネット１の上側には振動板３が設けられており、その振動板３上には、各マグネット１に相対する位置に四角いコイル状の導電回路５が、これも田の字状に配設されている。そして振動板３は、弾力性を持つエッジ４を介して、例えば鋼板より成る蓋状のマグネットエッジ固定フレーム２１ｂの周縁部に固定されている。
【００２３】
また、マグネット１の組み合わせのうち他方は、マグネットエッジ固定フレーム２１ｂ天井面に固定されて、第２磁気回路を構成している。このとき、各磁気回路に使用するマグネット１の極性は、振動板３を中心に面対称となるよう設定されている。以上の構成により、上記第１の実施形態の場合よりも磁気性能を向上させている。
【００２４】
また、マグネット固定フレーム２ａの下側には、板状の端子固定フレーム２ｃが設けられており、その四隅よりそれぞれ可変ポール７が上方に延びている。そして、各可変ポール７はマグネット固定フレーム２ａを貫通し、マグネットエッジ固定フレーム２１ｂに達して、これを支持している。一方、端子固定フレーム２ｃの中央付近には、距離調整ねじ８が設けられており、これと各可変ポール７とはそれぞれ凸型のベルト９によって連結されている。
【００２５】
距離調整ねじ８を手動で回すと、その回転が各ベルト９により各可変ポール７に伝達され、これが同時に回転する。これにより、マグネットエッジ固定フレーム２１ｂを、磁気回路に対して平行に保持しながら上下させることができる。さらに、端子固定フレーム２ｃの下面より、導電回路５と電気的に接続された端子６が下方に延びている。なお、ｈは各フレームに複数開けられた放音孔である。動作については上記第１の実施形態で示したものと同様である。
【００２６】
本実施形態のスピーカの周波数音圧特性を図１０に示す。ここでは横軸に音声周波数（Ｈｚ）、縦軸に音圧レベル（ｄＢ）をそれぞれ取っている。同図において、曲線ａ，曲線ｂはそれぞれ振動板と第１磁気回路のマグネットの距離が２ｍｍ，３ｍｍの場合を示している。上記距離調整ねじ８を回すことにより、これらの間で周波数音圧特性を自由に変化させることができる。特に、振動板と第１磁気回路の距離を２ｍｍから３ｍｍにすることにより、低域の再生帯域が約１．３倍となっている。但し、振動板と第２磁気回路のマグネットの距離は３ｍｍで一定である。
【００２７】
図３は、本発明の第３の実施形態のスピーカを示す図である。ここでも４セルの導電回路組込振動板を使用している。同図（ａ）は平面図、同図（ｂ）はＡＡ’断面図、同図（ｃ），（ｄ），（ｅ）は内部平面図、同図（ｆ）は下面図である。同図（ｃ）では後述する第２マグネット固定フレームを取り除いたときの様子が示されている。また同図（ｄ）では更に後述するエッジ固定フレーム及び、振動板，エッジを取り除いたときの様子が示されている。また同図（ｅ）では更に後述する第１マグネット固定フレームを取り除いたときの様子が示されている。同図において、１は四角い板状のマグネットであり、これは上下（厚さ方向）に極性が分かれるように着磁され、隣り合うマグネットの極性が反対になるようにして、田の字状に配設されている。
【００２８】
ここで、マグネット１の組み合わせのうち一方は、例えば鋼板より成る板状の第１マグネット固定フレーム２ｃａ上面に固定されて、第１磁気回路を構成している。また、そのマグネット１の上側には振動板３が設けられており、その振動板３上には、各マグネット１に相対する位置に四角いコイル状の導電回路５が、これも田の字状に配設されている。そして振動板３は、弾力性を持つエッジ４を介して、例えば鋼板より成る枠状のエッジ固定フレーム２ｂ１の周縁部に固定されている。
【００２９】
また、マグネット１の組み合わせのうち他方は、例えば鋼板より成る板状の第２マグネット固定フレーム２ｃｂ下面に固定されて、振動板３の上側に第２磁気回路を構成している。このとき、各磁気回路に使用するマグネット１の極性は、振動板３を中心に面対称となるよう設定されている。以上の構成により、上記第１の実施形態の場合よりも磁気性能を向上させている。
【００３０】
また、第１マグネット固定フレーム２ｃａの下側には、板状の端子固定フレーム２ｃが設けられており、その四隅よりそれぞれ第１可変ポール７ａ及び第２可変ポール７ｂが互いに隣り合って上方に延びている。そして、第１可変ポール７ａは第１マグネット固定フレーム２ｃａを貫通し、エッジ固定フレーム２ｂ１に達して、これを支持している。また、第２可変ポール７ｂはエッジ固定フレーム２ｂ１を貫通し、第２マグネット固定フレーム２ｃｂに達して、これを支持している。
【００３１】
一方、端子固定フレーム２ｃの中央付近には、距離調整ねじ８が設けられており、これは第１ギヤ８ａ及び第２ギヤ８ｂを同心状に有している。そして、第２ギヤ８ｂは第１ギヤ８ａの２倍の径になっている。さらに、第１ギヤ８ａと第１可変ポール７ａとは凸型のベルト９ａによって連結されている。また第２ギヤ８ｂと第２可変ポール７ｂとは凸型のベルト９ｂによって連結されている。即ち、第１マグネット固定フレーム２ｃａから見て、エッジ固定フレーム２ｂ１が例えば１ｍｍ移動したとき、第２マグネット固定フレーム２ｃｂが２ｍｍ移動するようになっている。
【００３２】
距離調整ねじ８を手動で回すと、その回転が第１ギヤ８ａ及び第２ギヤ８ｂからそれぞれベルト９ａ，９ｂにより第１可変ポール７ａ及び第２可変ポール７ｂに伝達され、これが同時に回転する。これにより、エッジ固定フレーム２ｂ１，第２マグネット固定フレーム２ｃｂを、第１マグネット固定フレーム２ｃａに対して平行に保持しながら上下させることができる。さらに、端子固定フレーム２ｃの下面より、導電回路５と電気的に接続された端子６が下方に延びている。なお、ｈは各フレームに複数開けられた放音孔である。動作については上記第１の実施形態で示したものと同様である。
【００３３】
本実施形態のスピーカの周波数音圧特性を図１１に示す。ここでは横軸に音声周波数（Ｈｚ）、縦軸に音圧レベル（ｄＢ）をそれぞれ取っている。同図において、曲線ａ，曲線ｂはそれぞれ振動板と第１及び第２磁気回路のマグネットの距離が２ｍｍ，３ｍｍの場合を示している。本実施形態では、第２の実施形態における周波数音圧特性を最大限効果的に改善するために、第２磁気回路を第１磁気回路と連動する構成としている。ここでは振動板からの第１磁気回路及び第２磁気回路のマグネットの距離が均等であるので、第２の実施形態より効果は大きくなる。
【００３４】
上記距離調整ねじ８を回すことにより、振動板とマグネットの距離が２ｍｍ，３ｍｍの間で周波数音圧特性を自由に変化させることができる。特に、振動板とマグネットの距離を２ｍｍから３ｍｍにすることにより、低域の再生帯域が約２．０倍となっている。
【００３５】
図４は、本発明の第４の実施形態のスピーカを示す図である。ここでも４セルの導電回路組込振動板を使用している。同図（ａ）はイコライザー取付時の平面図、同図（ｂ）はそのＡＡ’断面図、同図（ｃ）は別のイコライザー取付時の平面図、同図（ｄ）はそのＡＡ’断面図、同図（ｅ）はイコライザー取り外し時の平面図、同図（ｆ）はそのＡＡ’断面図、同図（ｇ）は内部平面図、同図（ｈ）は下面図である。
【００３６】
同図（ａ）及び（ｂ）では後述するイコライザー１０ａを取り付けたときの様子が示されている。また同図（ｃ）及び（ｄ）では後述するイコライザー１０ｂを取り付けたときの様子が示されている。そして同図（ｅ）及び（ｆ）ではイコライザーを取り除いたときの様子が示されている。さらに同図（ｇ）では後述する振動板，エッジを取り除いたときの様子が示されている。同図において、１は四角い板状のマグネットであり、これは上下（厚さ方向）に極性が分かれるように着磁され、隣り合うマグネットの極性が反対になるようにして、田の字状に配設されている。
【００３７】
そして、マグネット１は、例えば鋼板より成る皿状のイコライザーガイド付きフレーム２ｘ底面に固定され、磁気回路を構成している。また、マグネット１の上側には振動板３が設けられており、その振動板３上には、各マグネット１に相対する位置に四角いコイル状の導電回路５が、これも田の字状に配設されている。そして振動板３は、弾力性を持つエッジ４を介して、イコライザーガイド付きフレーム２ｘ中段周縁部のエッジガイド２ｘｂに固定されており、上記磁気回路との距離を一定に保っている。
【００３８】
さらに、イコライザーガイド付きフレーム２ｘ上段周縁部のイコライザーガイド２ｘａには、平板状のイコライザー１０ａ或いは１０ｂが取り付けられている。イコライザー１０ａ，１０ｂの材質は磁性体となっており、マグネット１から放出された磁束によって振動板３方向に吸引される。これにより、イコライザーガイド付きフレーム２ｘにイコライザー１０ａ或いは１０ｂが保持，固定される。この構造により、孔形状が相違するイコライザー１０ａ，１０ｂを容易に取り付け，取り外しすることが可能となる。また、イコライザーガイド付きフレーム２ｘの下面より、導電回路５と電気的に接続された端子６が下方に延びている。なお、ｈはフレームに複数開けられた放音孔である。
【００３９】
本実施形態のスピーカの周波数音圧特性を図１２に示す。ここでは横軸に音声周波数（Ｈｚ）、縦軸に音圧レベル（ｄＢ）をそれぞれ取っている。同図において、曲線ｃはイコライザー無しの場合、曲線ａ，曲線ｂはそれぞれイコライザー１０ａ，１０ｂを取り付けた場合を示している。同図に示すように、イコライザーの着脱や異なるイコライザーの装着により、周波数音圧特性を変化させることができる。
【００４０】
図５は、本発明の第５の実施形態のスピーカを示す図である。ここでも４セルの導電回路組込振動板を使用している。同図（ａ）はイコライザー取付時の平面図、同図（ｂ）はそのＡＡ’断面図、同図（ｃ）はイコライザー取り外し時の平面図、同図（ｄ），（ｅ），（ｆ）は内部平面図、同図（ｇ）は下面図である。
【００４１】
同図（ａ）及び（ｂ）ではイコライザーを取り付けたときの様子が示されている。また同図（ｃ）ではイコライザーを取り除いたときの様子が示されている。そして同図（ｄ）では更に後述するイコライザー保持フレームを取り除いたときの様子が示されている。さらに同図（ｅ）では更に後述する振動板，エッジを取り除いたときの様子が示されている。また同図（ｆ）では更に後述するフレームを取り除いたときの様子が示されている。同図において、１は四角い板状のマグネットであり、これは上下（厚さ方向）に極性が分かれるように着磁され、隣り合うマグネットの極性が反対になるようにして、田の字状に配設されている。
【００４２】
そして、マグネット１は、例えば鋼板より成る皿状のフレーム２ｙ底面に固定され、磁気回路を構成している。また、マグネット１の上側には振動板３が設けられており、その振動板３上には、各マグネット１に相対する位置に四角いコイル状の導電回路５が、これも田の字状に配設されている。そして振動板３は、弾力性を持つエッジ４を介して、フレーム２ｙの周縁部に固定されており、上記磁気回路との距離を一定に保っている。
【００４３】
また、フレーム２ｙの下側には、板状の端子固定フレーム２ｃ１が設けられており、その四隅よりそれぞれ可変ポール７ｃが上方に延びている。そして、各可変ポール７ｃはフレーム２ｙを貫通し、枠状のイコライザー保持フレーム２ｄに達して、これを支持している。イコライザー保持フレーム２ｄ周縁部には、平板状のイコライザー１０ｂが取り付けられている。イコライザー１０ｂの材質は磁性体となっており、マグネット１から放出された磁束によって振動板３方向に吸引される。これにより、イコライザー保持フレーム２ｄにイコライザー１０ｂが保持，固定される。この構造により、孔形状が相違するイコライザーを容易に取り付け，取り外しすることが可能となる。
【００４４】
一方、端子固定フレーム２ｃ１の中央付近には、距離調整ねじ８が設けられており、これと各可変ポール７ｃとはそれぞれ凸型のベルト９ｃによって連結されている。距離調整ねじ８を手動で回すと、その回転が各ベルト９ｃにより各可変ポール７ｃに伝達され、これが同時に回転する。これにより、イコライザー保持フレーム２ｄを、磁気回路に対して平行に保持しながら上下させることができる。
【００４５】
さらに、端子固定フレーム２ｃ１の下面より、導電回路５と電気的に接続された端子６が下方に延びている。なお、ｈは各フレームに複数開けられた放音孔である。端子６に電気信号が加えられると、それが導電回路５に導かれ、その導電回路５内の導体に電流が流れる。これにより、導電回路５に磁束が発生し、その磁束と近接している磁気回路に対し吸引や反発が生じて、振動板３が振動する。
【００４６】
本実施形態のスピーカの周波数音圧特性を図１３に示す。ここでは横軸に音声周波数（Ｈｚ）、縦軸に音圧レベル（ｄＢ）をそれぞれ取っている。同図において、曲線ａ，曲線ｂはそれぞれ振動板とイコライザーの距離が２ｍｍ，６ｍｍの場合を示している。上記距離調整ねじ８を回すことにより、これらの間で周波数音圧特性を自由に変化させることができる。
【００４７】
図６は、本発明の第６の実施形態のスピーカを示す図である。ここでも４セルの導電回路組込振動板を使用している。同図（ａ）はイコライザー取付時の平面図、同図（ｂ）はそのＡＡ’断面図、同図（ｃ）はイコライザー取り外し時の平面図、同図（ｄ），（ｅ），（ｆ）は内部平面図、同図（ｇ）は下面図である。
【００４８】
同図（ａ）及び（ｂ）ではイコライザーを取り付けたときの様子が示されている。また同図（ｃ）ではイコライザーを取り除いたときの様子が示されている。そして同図（ｄ）では更に後述するイコライザー保持フレームを取り除いたときの様子が示されている。さらに同図（ｅ）では更に後述する振動板，エッジを取り除いたときの様子が示されている。また同図（ｆ）では更に後述するマグネット固定フレームを取り除いたときの様子が示されている。同図において、１は四角い板状のマグネットであり、これは上下（厚さ方向）に極性が分かれるように着磁され、隣り合うマグネットの極性が反対になるようにして、田の字状に配設されている。
【００４９】
そして、マグネット１は、例えば鋼板より成る板状のマグネット固定フレーム２ａ上面に固定され、磁気回路を構成している。また、マグネット１の上側には振動板３が設けられており、その振動板３上には、各マグネット１に相対する位置に四角いコイル状の導電回路５が、これも田の字状に配設されている。そして振動板３は、弾力性を持つエッジ４を介して、例えば鋼板より成る枠状のエッジ固定フレーム２ｂ２の周縁部に固定されている。
【００５０】
また、マグネット固定フレーム２ａの下側には、板状の端子固定フレーム２ｃが設けられており、その前後左右端よりそれぞれ第３可変ポール７ｄが上方に延びている。そして、各第３可変ポール７ｄはマグネット固定フレーム２ａを貫通し、枠状のエッジ固定フレーム２ｂ２に達して、これを支持している。さらに、端子固定フレーム２ｃの四隅よりそれぞれ第４可変ポール７ｅが上方に延びている。そして、各第４可変ポール７ｅはマグネット固定フレーム２ａ及びエッジ固定フレーム２ｂ２を貫通し、枠状のイコライザー保持フレーム２ｄに達して、これを支持している。
【００５１】
イコライザー保持フレーム２ｄ周縁部には、平板状のイコライザー１０ｂが取り付けられている。イコライザー１０ｂの材質は磁性体となっており、マグネット１から放出された磁束によって振動板３方向に吸引される。これにより、イコライザー保持フレーム２ｄにイコライザー１０ｂが保持，固定される。この構造により、孔形状が相違するイコライザーを容易に取り付け，取り外しすることが可能となる。
【００５２】
一方、端子固定フレーム２ｃ１の中央付近には、距離調整ねじ８１及び８２が前後隣り合わせに設けられている。距離調整ねじ８２と各第３可変ポール７ｄとはそれぞれ凸型のベルト９ｄによって連結されており、距離調整ねじ８１と各第４可変ポール７ｅとはそれぞれ凸型のベルト９ｅによって連結されている。
【００５３】
距離調整ねじ８１を手動で回すと、その回転が各ベルト９ｅにより各第４可変ポール７ｅに伝達され、これが同時に回転する。これにより、イコライザー保持フレーム２ｄを、磁気回路に対して平行に保持しながら上下させることができる。また、距離調整ねじ８２を手動で回すと、その回転が各ベルト９ｄにより各第３可変ポール７ｄに伝達され、これが同時に回転する。これにより、エッジ固定フレーム２ｂ２を、磁気回路に対して平行に保持しながら上下させることができる。
【００５４】
さらに、端子固定フレーム２ｃの下面より、導電回路５と電気的に接続された端子６が下方に延びている。なお、ｈは各フレームに複数開けられた放音孔である。端子６に電気信号が加えられると、それが導電回路５に導かれ、その導電回路５内の導体に電流が流れる。これにより、導電回路５に磁束が発生し、その磁束と近接している磁気回路に対し吸引や反発が生じて、振動板３が振動する。
【００５５】
本実施形態のスピーカでは、振動板とマグネットの距離及び振動板とイコライザーの距離が可変となっており、これによる効果は上記第１及び第５の実施形態で説明したものと同様であるから、本実施形態での周波数音圧特性の説明は省略する。
【００５６】
【発明の効果】
以上説明したように、本発明によれば、構造の一部を可変としたり、また部品を簡単に取り替えられる構成とすることにより、種々の用途に使用できるようにしたスピーカを提供することができる。
【００５７】
つまり、用途に応じて再生帯域が可変である構成としている。具体的には、上記第１〜第３の実施形態では、低域の再生帯域が可変となっている。また、第４，第５の実施形態では、高域の再生帯域が可変となっている。さらに、第６の実施形態では、低域，高域両方の再生帯域が可変となっている。
【図面の簡単な説明】
【図１】本発明の第１の実施形態のスピーカを示す図。
【図２】本発明の第２の実施形態のスピーカを示す図。
【図３】本発明の第３の実施形態のスピーカを示す図。
【図４】本発明の第４の実施形態のスピーカを示す図。
【図５】本発明の第５の実施形態のスピーカを示す図。
【図６】本発明の第６の実施形態のスピーカを示す図。
【図７】従来のスピーカの一例を示す図。
【図８】従来のスピーカの他の例を示す図。
【図９】第１の実施形態のスピーカの周波数音圧特性。
【図１０】第２の実施形態のスピーカの周波数音圧特性。
【図１１】第３の実施形態のスピーカの周波数音圧特性。
【図１２】第４の実施形態のスピーカの周波数音圧特性。
【図１３】第５の実施形態のスピーカの周波数音圧特性。
【図１４】従来の一例のスピーカの周波数音圧特性。
【図１５】従来の他の例のスピーカの周波数音圧特性。
【符号の説明】
１    マグネット
２ａ    マグネット固定フレーム
２ｂ    エッジ固定フレーム
２ｃ    端子固定フレーム
２ｄ    イコライザー保持フレーム
２ｂ１    エッジ固定フレーム
２ｂ２    エッジ固定フレーム
２ｃ１    端子固定フレーム
２ｃａ    第１マグネット固定フレーム
２ｃｂ    第２マグネット固定フレーム
２ｘ    イコライザーガイド付きフレーム
２ｙ    フレーム
３    振動板
４    エッジ
５    導電回路
６    端子
７    可変ポール
７ａ    第１可変ポール
７ｂ    第２可変ポール
７ｄ    第３可変ポール
７ｅ    第４可変ポール
８    距離調整ねじ
８ａ    第１ギヤ
８ｂ    第２ギヤ
９    ベルト
９ａ，９ｂ，９ｃ，９ｄ，９ｅ    ベルト
１０ａ，１０ｂ    イコライザー
２１ｂ    マグネットエッジ固定フレーム
８１，８２    距離調整ねじ
【図１】
0004014382.tif 000002
【図２】
0004014382.tif 000003
【図３】
0004014382.tif 000004
【図４】
0004014382.tif 000005
【図５】
0004014382.tif 000006
【図６】
0004014382.tif 000007
【図７】
0004014382.tif 000008
【図８】
0004014382.tif 000009
【図９】
0004014382.tif 000010
【図１０】
0004014382.tif 000011
【図１１】
0004014382.tif 000012
【図１２】
0004014382.tif 000013
【図１３】
0004014382.tif 000014
【図１４】
0004014382.tif 000015
【図１５】
0004014382.tif 000016